(57)【要約】【課題】アース端子および配電機器に接続される配線の作業を容易とする分電盤を提供すること。【解決手段】底面２９側から配線を引き込むための配線口１１と、前記配線口１１を通過したアース線４１が接続される接続端子部５１を具備したアース端子台５と、前記配線口１１を通過したケーブル４２が接続される配電機器３１と、を備えた分電盤１であって、配線口１１に対して配電機器３３側にアース端子台５を配置した構成とする。【選択図】図３
2018107997.tif 000002
【特許請求の範囲】
【請求項１】
底面側から配線を引き込むための配線口と、
前記配線口を通過したアース線が接続される接続端子部を具備したアース端子台と、
前記配線口を通過したケーブルが接続される配電機器と、
を備えた分電盤であって、
配線口に対して配電機器側にアース端子台を配置した分電盤。
【請求項２】
配電機器を複数有し、アース端子台は各々の配電機器に対応した位置に、接続端子部を設けた請求項１に記載の分電盤。
【請求項３】
接続端子部を、隣り合う配電機器の電線接続部間に設けた請求項２に記載の分電盤。
【請求項４】
アース端子台の接続端子部は、電源が挿入される電源挿入孔と、挿入された電線固定用の接圧ばねと、接圧ばねの固定された電線への接圧を解除する解除レバーを備えた速結端子式である請求項１乃至３の何れかに記載の分電盤。
【請求項５】
複数の電線挿入孔と解除レバーが同一線上に形成した請求項４に記載の分電盤。
【請求項６】
アース端子台の解除レバーを、複数の電線挿入孔を形成した面とは異なる面に形成した請求項４に記載の分電盤。
【発明の詳細な説明】
【技術分野】
【０００１】
本発明は、分電盤に関するものである。特に、分電盤のアース端子構造に関するものである。
【背景技術】
【０００２】
特許文献１に記載されているように、複数の接続端子部を備えたアース端子台を、分電盤のボデー部材に設置することが知られている。接続端子部は、漏電などの対策に用いられるものであり、銅線を被覆した複数のケーブル、又は、ケーブルを複数本まとめて被覆したＶＶＦ電線（ＶＶＲ電線）のうちの一部のケーブルが接続される。また、残りのケーブルは分岐ブレーカに接続される。特許文献１に記載の構成では、ボデー部材の底面に設けた配線口の下側にアース端子台が配置され、配線口の上側に分岐ブレーカが配置されている。
【先行技術文献】
【特許文献】
【０００３】
【特許文献１】特開２０１５−１７３５２２号公報
【０００４】
ところで、複数のケーブル、又は、複数のケーブルからなるＶＶＦ電線（ＶＶＲ電線）は、一般的にボデー部材の底面に設けた配線口から分電盤内に導入される。特許文献１に記載された構造であると、複数のケーブルのうち、分岐ブレーカなどの配電機器に接続されるものと、アース端子に接続されるものとを異なる方向に折り曲げる必要がある。
【発明の概要】
【発明が解決しようとする課題】
【０００５】
本件の発明者は、この点について鋭意検討することにより、解決を試みた。本発明の課題は、アース端子および配電機器に接続される配線の作業を容易とする分電盤を提供することである。
【課題を解決するための手段】
【０００６】
上記課題を解決するため、次のような手段を採用する。第一の手段は、底面側から配線を引き込むための配線口と、前記配線口を通過したアース線が接続される接続端子部を具備したアース端子台と、前記配線口を通過したケーブルが接続される配電機器と、を備えた分電盤であって、配線口に対して配電機器側にアース端子台を配置した分電盤である。
【０００７】
第一の手段において、配電機器を複数有し、アース端子台は各々の配電機器に対応した位置に、接続端子部を設けた構成とすることが好ましい。
【０００８】
また、接続端子部を、隣り合う配電機器の電線接続部間に設けた構成とすることが好ましい。
【０００９】
第一の手段のアース端子台の接続端子部は、電源が挿入される電源挿入孔と、挿入された電線固定用の接圧ばねと、接圧ばねの固定された電線への接圧を解除する解除レバーを備えた速結端子式とすることが好ましい。
【００１０】
また、複数の電線挿入孔と解除レバーが同一線上に形成した構成とすることが好ましい。
【００１１】
また、アース端子台の解除レバーを、複数の電線挿入孔を形成した面とは異なる面に形成した構成とすることが好ましい。
【発明の効果】
【００１２】
本発明では、アース端子および配電機器に接続される配線の作業を容易とする分電盤を形成することが可能となる。
【図面の簡単な説明】
【００１３】
【図１】分電盤のカバー部材を取り外した状態を示した斜視図である。
【図２】分電盤のカバー部材を取り外した状態を示した正面図である。
【図３】分電盤とケーブルなどの位置関係を示した断面図である。
【図４】内機の例を示した斜視図である。
【図５】電線挿入孔と解除レバーの各々を異なる面に設けた場合を示した分電盤の斜視図である。
【図６】接続端子部を隣り合う配電機器の電線接続部間に設けた場合を示した分電盤の正面図である。
【図７】アース端子台を底面に対して斜めに設置した場合を示した分電盤の斜視図である。
【図８】アース端子台を取付台の裏側に設置した場合を示した分電盤の斜視図である。
【図９】アース端子台を底面に対して斜めに設置した場合を示した断面図である。
【図１０】上下二段に配置した分岐ブレーカ群の各々にアース端子台を隣接させて配置した場合を示した分電盤の正面図である。
【発明を実施するための形態】
【００１４】
以下に発明を実施するための形態を示す。図１乃至図３に示すことから理解されるように、本実施形態の分電盤１は、底面２９側から配線を引き込むための配線口１１と、前記配線口１１を通過したアース線４１が接続される接続端子部５１を具備したアース端子台５と、前記配線口１１を通過した複数のケーブル４２が接続される配電機器３１と、を備えた分電盤１である。また、この分電盤１は配線口１１に対して配電機器３１側にアース端子台５を配置している。このような構造であるため、図３に示すように、配線口１１から引き込まれる配線を一方側に曲げることでアース線４１やケーブル４２を各部品に接続することが可能となる。したがって、配線の曲げスペースに必要なスペースを小さくすることが可能となる。つまり、接続端子部５１および配電機器３１に接続される配線を容易としつつ、接続端子部５１および配電機器３１周りに必要な配線スペースを小さくすることが可能となる。特に、複数のケーブル４２らをまとめて被覆したＶＶＦ電線４を用いる場合には、被覆を剥く量を抑制することが可能となる。また、ケーブル４２らの各々の長さを略同様にすることが可能となりケーブル４２の露出量が最小限とすることができるため、ボデー部材２の内部で配線が混雑することを抑制することができる。また、図３に示すようにボデー部材２を覆うカバー部材１ａを形成している。
【００１５】
本実施形態の分電盤１は、壁などの設置面に固定されるボデー部材２を備えている。このボデー部材２には、図４に示すような内機３が取り付けられている。内機３は、主幹ブレーカや分岐ブレーカなどの配電機器３１が取付台３２上に取り付けてられている。この取付台３２をボデー部材２に固定することで内機３をボデー部材２に固定している。配線口１１を背面全体に備えたボデー部材２は、配線口１１の両端に内機３取付用の取付部２２を備えている。また、ボデー部材２は、配線口１１の周縁に複数の孔１４を形成している。この孔１４を用いて取付レール１２を固定すれば、取付台３２を取付レール１２に固定することも可能となるため、取付台３２を強固に保持することが可能となる。また、取付レール１２をボデー部材２に固定しているため、取付レール１２はボデー部材２の補強としての機能も果たす。なお、配線口１１の周縁に設けられた複数の孔１４から選択した孔１４を用いて取付レール１２を固定すればよいため、取付レール１２の固定箇所は選択することができる。なお、本実施形態の取付レール１２は、配線口１２を渡すように固定する長板状の部材であり、この取付レール１２を取り付けることで、分電盤１の背面に配線用の開口部分を確保しながらボデー部材２を補強することができる。
【００１６】
本実施形態のアース端子台５は速結端子式のものを使用している。より具体的には、複数の配電機器３１に沿うように形成した略立方形状のケースからなる。略立方形状のケースからなるアース端子台５は電線が挿入される電線挿入孔５１ａと、挿入された電線固定用の接圧ばね（図示せず）と、接圧ばねの固定された電線への接圧を解除する解除レバー５４を備えたアース端子台５である。このアース端子台５は、ボデー部材２と取付レール１２とを渡すように固定されている。このようなアース端子台５を用いることで、アース線４１がアース端子台５に接続されている状態とすることも、その状態を解除することも容易となる。また、このアース端子台５は、配電機器３１の取付方向に配置されるため、電線挿入孔５１ａと解除レバー５４は、取付台３２の取付面より下方位置(底面方向)、または、同一高さ位置に配置され、配電機器３１の取付に影響しない位置に配置されている。なお、このようなアース端子台５は、取付台３２に固定するものであっても良い。
【００１７】
本実施形態では、接続端子部５１は電線挿入孔５１ａとして構成され、各分岐ブレーカに対応させて配置されている。より詳しくは、各分岐ブレーカの電線接続部３３に隣接して接続端子部５１が設けられている。したがって、ケーブル４２らの長さや被覆処理を最低限とすることが可能となる。なお、アース端子台５の両端には圧着端子等の接続端子を接続するアース端子ねじ５１ｂを形成しており、配電機器３１の取付スペースより外側に配置するようにしており、他の配電機器３１のアース線４１を接続可能としている。つまり、分岐ブレーカに対応する電線挿入孔５１ａは分岐ブレーカの取付幅内に形成し、アース端子ねじ５１ｂは分岐ブレーカの取付幅より外側に形成している。
【００１８】
図２に示す例では、正面視において、各分岐ブレーカの電線接続部３３とそれに対応する接続端子部５１との延長線上に配線口１１が位置するような構成となっている。したがって、分電盤１内において、アース線４１とケーブル４２は同様のルートを通すことで、各々の接続箇所まで導くことが可能となる。このため、配線作業が容易となる。
【００１９】
また、図２に示す例では、複数の電線挿入孔５１ａがなす列に、アース端子台５の解除レバー５４を形成している。したがって、所定の方向から見た際に電線挿入孔５１ａと解除レバー５４が同一線上に配置されているように見える形態となるため、アース端子台５の厚みを抑制することが可能となる。解除レバー５４の位置は、このようなものでなくても良く、例えば、図５に示すように、複数の電線挿入孔５１ａを形成した面とは異なる面に解除レバー５４を形成することも可能である。この場合でも、アース端子台５の厚みを抑制することが可能となる。図５に示す例においては、前面に電線挿入孔５１ａを形成しており、下面に解除レバー５４を形成している。このため、アース端子台５の幅方向を狭くすることができ、配線口１１を広くすることができる。
【００２０】
図２に示す例においては、正面視において、一次側から二次側に向けて配電機器３１の中央を横断する仮想線上に接続端子部５１が位置する構成となっているが、図６に示すように、接続端子部５１を、隣り合う配電機器３１の電線接続部３３間に設けた構成とすることも可能である。特に、ＶＶＦ電線４などにおいては、一本のアース線４１と二本のケーブル４２が並列状にまとまっているものが多いが、特に、中央に位置するケーブル４２の一方側にアース線４１が配置され、その反対側に、もう一つのケーブル４２が配置されることが一般的である。図６に示すように接続端子部５１を、隣り合う配電機器３１の電線接続部３３間に設けた構成とすると、二本のケーブル４２と一本のアース線４１の並びを、二つの電線接続部３３と一つの接続端子部５１の並びと略同様とすることができるため、ケーブル４２やアース線４１が重複する位置関係となることを抑制しながら各線を配電機器３１やアース端子台５に接続することが可能となる。このため、接続端子部５１へのアース線４１の接続が、複数のケーブル４２を電線接続部３３に接続する際の邪魔になることを抑制することができる。
【００２１】
ところで、アース端子台５は、固定角度を調整することを可能にしても良い。例えば、アース端子台５を回動可能に支持するとともに、所定箇所で固定できる構成とすることが可能である。また、アース端子台５の設置個所を複数設け、設置個所によりアース端子台５の角度を選択できるようにすることも可能である。図７には、底面２９に対して傾斜するようにアース端子台５を設置した状態を示す。このようにアース端子台５の向きを選択可能にすれば、配線をより容易に接続することが可能となる。なお、アース端子台５の固定方法は、種々の手段を採用できるが、電線挿入孔５１ａなどの接続端子部５１が前面方向に向けて臨むものであることが好ましい。
【００２２】
なお、アース端子台５は、電線挿入孔５１ａなどの接続端子部５１が分電盤１の前面方向に向けて臨むようにボデー部材２内に設けられていれば良いため、取付台３２の裏側にアース端子台５を設置することも可能である。例えば、図８及び図９に示すように、端部を略コ字状に形成した取付台３２は、略コ字状とした部分にアース端子台５を配置することもできる。取付台３２には、配電機器３１を母線バー１５にプラグ接続する際に、配電機器３１の摺動方向をガイドする孔部３５が複数設けられているが、配電機器３１を母線バー１５にプラグ接続した状態では、図８に示すように、孔部３５の一部が露出した状態となる。この孔部３５を利用すれば、取付台３２の裏側に配置したアース端子台５にアース線４１を挿入することが可能となる。このようにすれば、配線口１１を大きくすることが可能となり、十分な配線スペースを設けやすくなる。なお、図８及び図９に示す例においては、アース端子台５の前面側を取付台３２の裏面に固定しており、アース端子台５の背面側を浮かせるように取り付けている。
【００２３】
また、図２に示す例では、アース端子台５を上下二段の分岐ブレーカ群（配電機器３１群）のうち、下段の分岐ブレーカ群にのみ隣接させて配置しているが、このような例に限らず、図１０に示すように、アース端子台５を複数設け、各々のアース端子台５を各々の分岐ブレーカ群（配電機器３１群）に隣接させて配置したものとすることもできる。
【００２４】
以上、いくつかの実施形態を中心に説明してきたが、本発明は上記実施形態に限定されることはなく、各種の態様とすることが可能である。例えば、配電機器群は左右方向に複数配置することも可能であり、その一部の郡ごとにアース端子台を隣接配置することも可能である。
【符号の説明】
【００２５】
１  分電盤
５  アース端子台
１１  配線口
３１  配電機器
３３  電線接続部
４１  アース線
４２  ケーブル
５１  接続端子部
５１ａ  電線挿入孔
５４  解除レバー
【図１】
2018107997.tif 000003
【図２】
2018107997.tif 000004
【図３】
2018107997.tif 000005
【図４】
2018107997.tif 000006
【図５】
2018107997.tif 000007
【図６】
2018107997.tif 000008
【図７】
2018107997.tif 000009
【図８】
2018107997.tif 000010
【図９】
2018107997.tif 000011
【図１０】
2018107997.tif 000012